(57)【要約】【課題】  本発明は、PHS無線携帯カードなど通信機能付きスロットカードへの通信着信あるいは携帯電話への単なる電話通信、着信を検出制御して、接続されている負荷側機器電源をON/OFF自動制御ができるモバイル型電源制御ユニットを提供することを目的とするものである。【解決手段】  本発明のモバイル型電源制御ユニットは、PHS無線携帯カードなど通信機能付きスロットカードへの通信着信信号あるいは携帯電話への通信信号着信を検知する着信信号検出部１と、前記着信信号を任意の接点信号に変換する着信信号制御部２と、前記接点信号により機械装置電源をON/OFF制御する電源制御部３と、前記電源制御部３により機械装置電源をON/OFF出力する電源出力部４と、PHS無線携帯カードなど通信機能付きスロットカード収納部または前記着信信号検出部１を介して携帯電話に接続される接続コネクタとから構成される。【選択図】  図１
2005159998.tif 000002
【特許請求の範囲】
【請求項１】
PHS無線携帯カードなど通信機能付きスロットカード又は携帯電話への通信着信を検知する着信信号検出部と、前記着信信号を任意の接点信号に変換する着信信号制御部と、前記接点信号により負荷側機器電源をON/OFF制御する電源制御部と、センサーを接続できる接点入力部を有し、接点入力部から接点入力を検知し、前記電源制御部により負荷側機器に電源をON/OFF出力する電源出力部と、通信機能付きPCスロットカード挿入口又は携帯電話と通信ケーブルを介して前記着信信号検出部に接続される接続コネクタとから構成され、PHS無線携帯カードなど通信機能付きスロットカード又は携帯電話に通信着信した信号は着信信号検出部で着信信号として着信検出され、着信信号制御部において前記着信信号を任意の接点信号に変換し、前記着信信号制御部の接点信号は電源制御部から電源出力部に供給されている電源を入力されて入る電源種別に従って負荷側機器に電源を出力ON/OFF制御し、また前記接点入力に接点が入力された場合、直ちに電源制御部から電源出力部に供給されている電源種別に従って負荷側機器に電源を供給又は遮断することを特徴とするモバイル型電源制御ユニット。
【請求項２】
電源供給部からの電源供給によりPHS無線携帯カードなど通信機能付きカードスロットへの電源供給機能と携帯電話への充電機能を有し、さらに通信制御部、通信先選択部において制御確認メール／音声/メロディ発信機能により通信先選択を行い発信者又は登録通報先へのメール／音声/メロディによる制御確認自動通報機能と制御通信時においてもメロディ又は音声による確認機能を有することを特徴とする請求項１記載のモバイル型電源制御ユニット。
【請求項３】
電源供給部からの電源供給によりPHS無線携帯カードなど通信機能付きカードスロットへの電源供給機能と携帯電話への充電機能を有し、さらに通信制御部、通信先選択部において制御確認メール／音声／メロディ発信機能により通信先選択を行い発信者又は登録通報先へのメール／音声／メロディによる制御確認自動通報機能と制御通信時においてもメロディ又は音声による確認機能を有し、遠隔制御に際し一般回線プッシュホン又はISDN回線又は携帯電話又はパソコンから、パスワードの入力により接続されている負荷側複数機器を任意に制御する機能を有することを特徴とする請求項１に記載のモバイル型電源制御ユニット
【請求項４】
電源供給部からの電源供給によりPHS無線携帯カードなど通信機能付きカードスロットへの電源供給機能と携帯電話への充電機能を有し、さらに通信制御部、通信先選択部において制御確認メール／音声／メロデー発信機能により通信先選択を行い発信者又は登録通報先へのメール／音声／メロディによる制御確認自動通報機能と制御通信時においてもメロディ又は音声による確認機能を有し、任意遠隔制御に際し、一般回線プッシュホン又はISDN回線又は携帯電話又はパソコンから、パスワードの入力により複数機器の制御機能を有し、更に交流電源使用時においては交流電源の遮断、直流電源使用時においては予め設定された電圧以下に低下した際、本器に設定された通報先に前記通信制御部、通信先選択部においてメール／音声／メロデー発信機能により登録通報先へのメール／音声／メロデーなどによる自動通報機能を有することを特徴とする請求項１に記載のモバイル型電源制御ユニット
【請求項５】
前記負荷側機器として、携帯電話でアミューズセンターのゲーム機の遊技制御、エアコン・ストーブなどの家電製品のON/OFF制御、留守時に庭木・花・ビニールハウスなどの散水作動制御や金魚・犬・猫などの給餌装置の作動制御、金庫や玄関扉の電気錠の開錠制御、計測器の制御、車・建設機械や一般盗難防止機器の制御、車・建設機械・農機具のセルモーター制御によるエンジン始動・停止の制御、灯台・海上ブイなど沿岸洋上機器のON/OFF制御、航空機・ヘリコプターの誘導灯・夜間ヘリポートの照明点灯制御、土砂災害警報装置のセキュリティー制御などを行うことを特徴とする請求項１、２、３又は４に記載のモバイル型電源制御ユニット。
【請求項６】
接点入力部はA接点、B接点を各単独に入力あるいは混在入力を可能としセンサーからの接点入力によって、光センサー、マグネットセンサー、赤外線センサー、熱センサー、煙感知器、漏水センサー、降雨センサー、ガスセンサー、水位センサー、断線・振動センサー、衝撃センサー、電牧センサー、転倒センサー、落石センサー、地すべりセンサー、土石流センサーなどセンサーからの接点信号入力によって、複数機器の電源ON/OFF制御を行うことを特徴とする請求項１、２、３、４又は５に記載のモバイル型制御ユニット。
【発明の詳細な説明】
【技術分野】
【０００１】
本発明は、PHS無線携帯カードなど通信機能付きスロットカード又は携帯電話により遠隔地に設置された負荷側機器の電源ON/OFF制御を行ことができ、またセンサーからの接点入力により接続されている機器の電源ON/OFF自動制御ができ、更に自動通報機能を有するモバイル型電源制御ユニットに関するものである。
【背景技術】
【０００２】
現在、携帯電話を利用した制御システムは、携帯電話網からインターネットに接続し、インターネットからサーバを介して自動メール送信、機器制御などに多々利用されている。
その一例として、飼育装置が公知となっている（特許文献１を参照）。
この公知技術は、図３に示すように、魚を飼育する水槽１に付設する飼育装置２と、インターネット３を介して飼育装置２へ接続可能なPC（パソコン）4や携帯電話機５等により構成され、PC（パソコン）4や携帯電話機５等によりインターネット３を介して飼育装置２の管理サーバ６へ接続し、水槽１に設けられた各検出装置１１〜１６からの検出結果に基づき、各調整装置２１〜２６を操作するもので、飼育者が外出先からでも熱帯魚その他のペットの飼育を行うことを可能とするものである。
【０００３】
【特許文献１】特開２００２−３１５４７１
【発明の開示】
【発明が解決しようとする課題】
【０００４】
しかし、公知技術はインターネットを介するものであり、 PHS無線携帯カードなど通信機能付きスロットカードへの通信着信あるいは携帯電話への単なる電話通信、着信を検出し、着信信号を負荷側機器に伝達し電源をON/OFF制御ができ、更に接点入力機能を有し、接点入力に際し直ちに接続されている機器の電源ON／OFF自動制御機能を有する、電源制御装置は見当たらない。
そこで、本発明は、PHS無線携帯カードなど通信機能付きスロットカードへの通信着信あるいは携帯電話への単なる電話通信、着信を検出制御して、接続されている負荷側機器電源をON/OFF自動制御ができ、更に接点入力機能を有し接続されている負荷側機器のON／OFF自動制御機能有する、モバイル型電源制御ユニットを提供することを目的とするものである。
【課題を解決するための手段】
【０００５】
本発明のモバイル型電源制御ユニットは、PHS無線携帯カードなど通信機能付きスロットカードへの通信着信あるいは携帯電話への着信を検知する着信信号検出部と、前記着信信号を任意の接点信号に変換する着信信号制御部と、前記接点信号により負荷側機器電源をON/OFF制御する電源制御部と、前記電源制御部により負荷側機器電源をON/OFF出力する電源出力部と、PHS無線携帯カードなど通信機能付きスロットカード収納部又は携帯電話と通信コネクターを介して前記着信信号検出部に接続される接続コネクターから構成され、PHS無線携帯カードなど通信機能付きスロットカードへの通信着信あるいは携帯電話に着信した信号は着信信号検出部で着信信号として着信検出され、着信信号制御部において前記着信信号を任意の接点信号に変換し、前記着信信号制御部の接点信号が電源制御部へ伝達されて、負荷側機器に供給されている電源をON/OFF制御し、更に前記電源制御部から電源出力部にON/OFF出力され、電源出力部に供給されている負荷側機器電源を供給又は遮断することができ、更に接点入力部からの接点入力(A接点・B接点)に際し、接続されている機器電源のONからOFFへ制御あるいはOFFからONへ自動制御ができるものである。
また、電源供給部からの電源供給によりPHS無線携帯カードなど通信機能付きカードスロットへの電源供給機能と携帯電話への充電機能を有し、さらに通信制御部、通信先選択部において制御確認メール／音声／メロデー発信機能により通信先選択を行い発信者又は登録通報先へのメール／音声／メロディによる制御確認自動通報機能と制御通信時においてもメロディ又は音声による確認機能を有し、任意遠隔制御に際し、一般回線プッシュホン又はISDN回線又は携帯電話又はパソコンから、パスワードの入力により複数機器の制御機能を有し、更に交流電源使用時においては交流電源の遮断、直流電源使用時においては予め設定された電圧以下に低下した際、本器に設定された通報先に前記通信制御部、通信先選択部においてメール／音声／メロデー発信機能により登録通報先へのメール／音声／メロデーなどによる自動通報機能を有するものである。
【発明の効果】
【０００６】
本発明のモバイル型電源制御ユニットでは、遠隔地から任意の時間にモバイル型電源制御ユニットに装着されている、PHS無線携帯カードなど通信機能付きスロットカード又は携帯電話にメール又は電話を掛け、このPHS無線携帯カードなど通信機能付きスロットカード又は携帯電話に通信着信したメール又は音声着信信号は着信信号として着信検出され、任意の接点信号に変換し出力され、負荷側機器の電源をON/OFFすることができるので、簡易的で完全独立型の電源制御装置をコントロールすることができる。
また、本発明のモバイル型電源制御ユニットを利用することにより、携帯電話でアミューズセンターのゲーム機の遊技制御、エアコン・ストーブなどの家電製品のON/OFF制御、留守時に庭木・花・ビニールハウスなどの散水作動制御や金魚・犬・猫などの給餌装置の作動制御、金庫や玄関扉の電気錠の開錠制御、計測器の制御、建設機械や一般盗難防止機器の制御、車・建設機械・農機具のセルモーター制御によるエンジン始動・停止の制御、灯台・海上ブイなど沿岸洋上機器のON/OFF制御、航空機・ヘリコプターの誘導灯・夜間ヘリポートの転倒制御、土砂災害警報装置のセキュリティー制御などを行うことができ更に接点入力部にA接点、B接点を各単独に入力あるいは混在入力を可能としセンサーからの接点入力によって、光センサー、マグネットセンサー、赤外線センサー、熱センサー、煙感知器、漏水センサー、降雨センサー、ガスセンサー、水位センサー、断線・振動センサー、衝撃センサー、電牧センサー、転倒センサー、落石センサー、地すべりセンサー、土石流センサーなどセンサーからの接点信号入力によって、複数機器の自動電源ON/OFF制御を行うことができる。
【発明を実施するための最良の形態】
【０００７】
本発明のモバイル型電源制御ユニットの一実施例を、以下に図面に基づいて説明する。
図１に示すように、本発明のモバイル型電源制御ユニットは、PHS無線携帯カードなど通信機能付きスロットカードへの通信着信信号あるいは携帯電話への通信信号着信を検知する着信信号検出部１と、前記着信信号を任意の接点信号に変換する着信信号制御部２と、前記接点信号により機械装置電源をON/OFF制御する電源制御部３と、前記電源制御部３により機械装置電源をON/OFF出力する電源出力部４と、PHS無線携帯カードなど通信機能付きスロットカード収納部または前記着信信号検出部１を介して携帯電話に接続される接続コネクタとから構成される。
同時に、電源供給部７は、PHS無線携帯カードなど通信機能付きスロットカードへの電源供給機能と携帯電話への充電機能を有し、前記PHS無線携帯カードなど通信機能付きスロットカード挿入口あるいは接続コネクタを介して電源供給部７に接続され、前記電源供給部７に接続されたエラー検出部９で携帯電話の電池切れ、コネクター接続不良またはPHS無線携帯カードなど通信機能付きスロットカード接続不良などの異常を検出し、該エラー検出部９に接続された通信制御部６、通信選択部５を介して指定先一般回線又は携帯電話に警報信号を自動通報出力する。
また、前記通信制御部６、前記通信選択部５は、登録先へ音声/メロデーにて制御確認自動通報機能と遠隔電源制御時において、メロデー又は音声による確認機能を有し、制御通信時においても接続状態での確認機能を有する。
また、接点入力部８は、A接点、B接点を各単独に入力あるいは混在入力を可能としセンサーからの接点入力によって、光センサー、マグネットセンサー、赤外線センサー、熱センサー、煙感知器、漏水センサー、降雨センサー、ガスセンサー、水位センサー、断線・振動センサー、衝撃センサー、電牧センサー、転倒センサー、落石センサー、地すべりセンサー、土石流センサーなどセンサーからの接点信号入力によって、複数機器の電源ON/OFF制御を行うことができる。
【０００８】
次に、本発明のモバイル型電源制御ユニットの動作について、以下に説明する。
図２に示すように、ホルダーに収蔵された携帯電話と通信ケーブルを用いて接続コネクターを介してモバイル型電源制御ユニットTを接続する。
また、PHS無線携帯カードなど通信機能付きスロットカードで使用する時は、カード挿入口より押し込み、内部のコネクターと接続する。
図１に示すように、PHS無線携帯カードなど通信機能付きスロットカード又は携帯電話に着信した通信着信信号は着信信号検出部１で着信信号として着信検出され、着信信号制御部２において前記着信信号を任意の接点信号に変換する。
前記着信信号制御部２の接点信号が電源制御部３へ伝達された場合、電源出力部４を介して電源出力部４に供給されている電源種別に従って負荷側機器へ電源を供給する（ON出力）、又は負荷側機器の電源供給を遮断する（OFF出力）ものである。
また、接点入力部８に接続されているセンサーの信号可変（A接点⇒B接点  B接点⇒A接点）を検出した場合には電源制御部３から電源出力部４を介し、接続されている負荷側機器に対し電源供給又は電源の遮断を行うと同時に、電源が供給された情報又は遮断された情報は警報と判断され警報信号としてエラー検出部９を介し、通信制御部６に伝達され、通信先選択部５に設定されている通報先にメール又はメロデー又は音声で自動通報される。
【０００９】
例えば、防犯・火災などを目的に光センサー、マグネットセンサー、赤外線センサー、熱センサー、煙感知器などの機器を設けモバイル型電源制御ユニットに接続する。
モバイル型電源制御ユニットにはPHS無線携帯カードなど通信機能付きスロットカード又は携帯電話が装着されており、自動監視システムの構築が可能となる。
また、センサーは火災・人あるいは動物らの侵入を検知すると、接点信号を可変させることができるため、直ちにその情報は電源制御部３に伝達され、電源出力部４を介し、接続されている負荷側機器に対し電源供給又は電源の遮断の自動制御を行うと同時に、電源が供給された情報又は遮断された情報は警報と判断され警報信号としてエラー検出部９を介し、通信制御部６に伝達され、通信先選択部５に設定されている通報先にメール又はメロデー又は音声で自動通報されるので、異常に際し接続されている機器の自動制御とあわせて次段階のすみやかな対応策を講じることも可能となる。
また、屋外に設置されている洪水時ゲートの開閉制御や、航空機の進入表示灯・夜間にヘリコプター着陸誘導灯、観測機器などの遠隔による電源制御の任意に行うことも可能となり、ケーブルの配線を含め多大な設備コストの削減効果も得られると同時に、必要な時だけ電源投入なども可能となり電源設備などの省エネにも貢献できる。
また、土石流など土砂災害対策で現場ではワイヤーセンサーを設け、ワイヤーセンサーが切断された情報は従来、ケーブルを用い情報を伝達しているが、モバイル型電源制御ユニットにワイヤーセンサーを接続すると災害発生時、ワイヤーセンサーが切断された情報は、直ちにモバイル型電源制御ユニットに装着されている、PHS無線携帯カードなど通信機能付きスロットカード又は携帯電話を介して自動通報され、受信側に設置されたモバイル型電源制御ユニットに接続された、サイレンや回転警告灯の点灯により下流の工事現場で作業する人や集落住民への災害発生と早期避難誘導など防災システムとして確立できる。
【００１０】
本実施例では、防犯などセンサーを用いた監視装置の自動制御や、必要に応じて遠隔地に設置されている機器の電源のON＼OFF制御、また負荷側機器にサイレンや回転警告灯などの警報機器を用いた場合で説明したが、これに限らず、携帯電話でアミューズセンターのゲーム機の遊技制御、エアコン・ストーブなどの家電製品のON/OFF制御、留守時に庭木・花・ビニールハウスなどの散水作動制御や金魚・犬・猫などの給餌装置の作動制御、金庫や玄関扉の電気錠の開錠制御、計測器の制御、建設機械や一般盗難防止機器の制御、車・建設機械・農機具のセルモーター制御によるエンジン始動・停止の制御、灯台・海上ブイなど沿岸洋上機器のON/OFF制御、航空機・ヘリコプターの誘導灯・夜間ヘリポートの点灯制御、土砂災害警報装置のセキュリティー制御などを行うことができる。
【図面の簡単な説明】
【００１１】
【図１】本発明のモバイル型電源制御ユニットのフローチャート図である。
【図２】本発明のモバイル型電源制御ユニットの実施構成図である。
【図３】従来の飼育装置の概略構成図である。
【符号の説明】
【００１２】
１  着信検出部
２  着信信号制御部
３  電源制御部
４  電源出力部
５  通信先選択部
６  通信制御部
７  電源供給部
８  接点入力部
９  エラー検出部
【図１】
2005159998.tif 000003
【図２】
2005159998.tif 000004
【図３】
2005159998.tif 000005